(57)【特許請求の範囲】
【請求項１】
吊り金具によって吊設した天井下地桟又は天井下地桟に取着した部材にネジを介して取付けされる天井パネルにおいて、該天井パネルの上方には取付けする為の上記ネジを垂直に起立して設け、そしてネジ先端にはナットを設けたことを特徴とする天井パネル。
【請求項２】
吊り金具によって吊設した天井下地桟又は天井下地桟に取着した部材にネジを介して取付けされる天井パネルにおいて、該天井パネルの上方には取付けする為の上記ネジを垂直に起立して設け、そして該ネジにはバネ力にて外方向へ張出す係止具を取付けたことを特徴とする天井パネル。
【請求項３】
吊り金具によって吊設した天井下地桟又は天井下地桟に取着した部材にネジを介して天井パネルを取付けする場合、該天井パネルを一時的に上記天井下地桟又は上記部材に仮止めする為の仮止め金具において、天井パネルの上方へ起立したネジ先端に設けたナットを仮止めする為の係止手段を上記天井下地桟又は天井下地桟に取着した部材に設けたことを特徴とする天井パネルの仮止め金具。
【請求項４】
吊り金具によって吊設した天井下地桟又は天井下地桟に取着した部材にネジを介して天井パネルを取付けする場合、該天井パネルを一時的に上記天井下地桟又は上記部材に仮止めする為の仮止め金具において、天井パネルの上方へ起立するネジを設け、該ネジには天井下地桟又は部材に係止する為にバネ力にて外方向へ張出すことが出来るように取付けた係止具を設けたことを特徴とする天井パネルの仮止め金具。
【発明の詳細な説明】
【０００１】
【産業上の利用分野】
本発明は天井パネルを一時的に仮止めする為の金具に関するものである。
【０００２】
【従来の技術】
部屋の天井には天井パネルが取付けられているが、その取付け構造は色々ある。一般には吊り金具を吊りボルトにて所定の高さに吊設し、一定大きさの長方形天井パネルを該吊り金具に取り付けしている。吊り金具は天井パネルの側端部を嵌入するように構成している為に、天井パネルの取付けは一方側からの追い込み式で行われる。従って、このような追い込み式で取り付けした天井パネルは何らかの都合によって、間の一枚を取り外しする場合には不便である。
【０００３】
そこで、従来のような追い込み式ではなくて、いかなる場所からでも天井パネルの取り付け及び取り外しが行い得るように、天井下地桟にネジ止めする構造とすることが出来る。しかし、天井パネルを下地桟にネジ止めする場合には作業員の一人が天井裏に上がってネジ止めする為に、下に別の作業員がいて天井パネルを支えていなくてはならない。
【０００４】
天井パネルを下から支えるにしても何らかの台（脚立）に載った状態で大きな天井パネルを下から押し上げねばならず、労力的にも大変な作業となるのみならず、下で支えた天井パネルの状態が安定しない為に、ネジ止め作業も容易ではない。勿論、安定を失って脚立から落ちることもあり、危険性が伴う。
【０００５】
【本発明が解決しようとする課題】
このように、従来の天井パネルの取付けには上記のごとき問題がある。本発明が解決しようとする課題はこの問題点であって、ネジ止め構造にて天井パネルを取付けする場合、下で支えることなしに天井パネルを一旦仮止めすることが出来る仮止め金具を提供する。
【０００６】
【課題を解決するための手段】
本発明に係る天井パネルの仮止め金具は、天井パネルの裏側にネジを起立し、該ネジを天井下地桟又は天井下地桟に取着した部材に形成する嵌入孔に挿通した状態で該嵌入孔から抜けないように構成している。すなわち、天井下地桟又はネジには何らかの係止手段を備えており、該係止手段が嵌入孔又はネジに係止して抜け止め機能を発揮する。そして、仮止めされたネジはナットを締め付けして天井下地桟に固定されるようになっている。ここで、上記係止手段は特に限定しない。以下、本発明に係る実施例を図面に基づいて詳細に説明する。
【０００７】
【実施例】
図１は天井構造を示す概略図であり、同図の１は天井パネル、２は天井下地桟、３は吊り金具を示している。天井下地桟２、２…は吊り金具３、３…にて吊設され、所定の間隔で配置されている。そして、上記天井パネル１は長方形をした板状態であって、その両側が天井下地桟２に取り付けしたパネルハンガー６に固定されて天井を構成している。又同図の４はダクトを表している。
【０００８】
図２は上記天井構造の断面を示しているが、天井下地桟２を吊設している吊り金具３，３…は吊りボルト５，５…と連結していて、ナット７ａ、７ｂを調整することで該吊り金具３及び天井下地桟２の高さを調整することが出来る。ところで、高さが定まったところで天井下地桟２，２…に天井パネル１，１…を取付けることになるが、取付け手段はネジ８，８…を用いて固定する構造となっている。又、天井パネル１，１…を取付けしてしまった後であっても、該天井パネル１，１…の高さ調整は可能である。
【０００９】
ところで、本発明の天井パネル仮止め金具は天井パネル１をパネルハンガー６に取り付けする場合に下から支えることがないように、一時的に仮止めすることが出来る金具である。すなわち、落下防止金具である。図３は天井パネル１を仮止めした状態を示しているが、天井パネル１にはネジ８がその表面から上方へ突出し、ネジ上端には円錐形のナット９を形成している。
【００１０】
パネルハンガー６はその下端両側に止着片１０、１０を水平に形成し、この止着片１０に天井パネル１が取付けられるが、該止着片１０にはＬ型をした仮止め羽根１１、１１が対を成して取付けられている。上記ナット９は止着片１０に形成している孔を通過すると共に、該孔を塞いでいる仮止め羽根１１、１１を押し上げて上方へ突出することになるが、止着片１０の孔から抜けることは出来なくなる。すなわち、ナット９は仮止め羽根１１、１１に係止して止着される。
【００１１】
図４（ａ）、（ｂ）は上記ネジ８及びナット９を止着片１０に係止する前の状態であり、仮止め羽根１１、１１は止着片１０の上面に水平を成して倒れている。その状態はナット９が通過する孔１２を塞いでいて、ナット９は仮止め羽根１１、１１を持ち上げて孔を通過する。該仮止め羽根１１、１１は止着片１０の両側に形成している溝に嵌入しているだけであり、前記図３に示すように先端側を持ち上げることが出来る。
【００１２】
図５（ａ）は上記ナット９が仮止め羽根１１、１１に係止して天井パネル１が仮止めされた状態であり、該天井パネル１はネジ８によって吊り下げられている。ナット９にて先端が持ち上げられた仮止め羽根１１、１１は、該ナット９が再び降下するならば同図のように倒されて孔１２を塞ぎ、ナット９の落下を防止する。そして、天井裏に上がってナット９を締め付けするならば図５（ｂ）のように天井パネル１は持ち上げられて止着片１０に当接して固定される。
【００１３】
図６は本発明の他の実施例である。同図に示す仮止め金具はネジ１３に特徴がある。図７はネジ１３を示しているが、該ネジ１３の側面にはスリット溝１４を形成していて、このスリット溝１４には係止具１５が揺動可能な状態で取付けられている。又、スリット溝１４の底にはバネ１６がセットされていて、該バネ力が上記係止具１５を押し上げしている。しかし、係止具１５は外力Ｐによってバネ１６を圧縮変形してスリット溝１４内に収まる。
【００１４】
従って、天井パネル１に取付けられたネジ１３は天井下地桟２の止着片１０に形成している孔を挿通する場合には係止具１５はスリット溝１４内に後退し、孔を通過したところで係止具１５は突出する。従って、一旦孔を通過したネジ１３は該孔を抜け出すことは出来ず、該係止具１５の端面１７が止着片１０に当接する。この場合、該孔はネジ１３の外径に近い大きさでなくてはならない。
【００１５】
図６は該係止具１５が止着片１０に係止して天井パネル１が吊り下げられている状態である。この状態でネジ１３にナット１８を螺合して締め付けするならば、天井パネル１は止着片１０に当接して固定される。これら実施例は本発明の単なる１具体例に過ぎず、天井パネルを止着片に一時的に止着する手段は色々ある。以上述べたように、本発明の天井パネルの仮止め金具は天井下地桟に一時的に係止することが出来るものであり、次のような効果を得ることが出来る。
【００１６】
【発明の効果】
本発明の仮止め金具は天井パネルを天井下地桟又は天井下地桟に取着した部材に一時的に仮止めすることが出来る為に、すなわち、下から持ち上げてパネルハンガーの止着片に係止し、独りでに落下することがないようにしたものである。従って、パネルハンガーに一旦仮止めするならば天井パネルを下から支える必要はなく、天井パネルの取付け作業は簡単で省力化される。
【図面の簡単な説明】
【図１】天井パネルの取付け構造を示す概略図。
【図２】天井パネルの取付け構造を示す断面図。
【図３】天井パネルを吊り下げる仮止め金具の実施例。
【図４】パネルハンガーの止着片に取付けた仮止め羽根。
【図５】仮止め金具のネジを締め付けして天井パネルを固定する工程図。
【図６】天井パネルを吊り下げる仮止め金具の他の実施例。
【図７】図６の仮止め金具に使用するネジ。
【符号の説明】
１  天井パネル
２  天井下地桟
３  吊り金具
４  ダクト
５  吊りボルト
６  パネルハンガー
７  ナット
８  ネジ
９  ナット
１０  止着片
１１  仮止め羽根
１２  孔
１３  ネジ
１４  スリット溝
１５    係止具
１６    バネ
１７    端面
１８    ナット
【図１】
0003548987.tif 000002
【図２】
0003548987.tif 000003
【図３】
0003548987.tif 000004
【図４】
0003548987.tif 000005
【図５】
0003548987.tif 000006
【図６】
0003548987.tif 000007
【図７】
0003548987.tif 000008